(57)【要約】      （修正有）【課題】設置が容易であり、また設置後も容易に締め直すことができ、基礎を修復することなく建築物の沈下修正が可能なアンカーボルト装置を提供する。【解決手段】  基礎11に埋設され、筒状体の内周面に雌ねじの切られた先端ねじ部7と内部にばね8を収納するばね収納部9からなる基部3と、上記先端ねじ部7に螺合する外周に雄ねじの切られたアンカーボルト2と、このアンカーボルト2に固定された支持ナット4を備えてなり、アンカーボルト2下端部は支持ナット4と座金5aを有して先端ねじ部7を螺貫し、さらにばね収納部9に挿入し上記ばね上端部に係合して該ばね8により上方へ付勢された状態を維持し、土台12を支持ナット4と取付用ナット6で締結することによりアンカーボルト2に固定し、支持ナット4の回動もしくはアンカーボルト2を回転させることで土台12を上下動させる。【選択図】図４
2007285016.tif 000002
【特許請求の範囲】
【請求項１】
基礎に埋設され、筒状体の内周面に雌ねじの切られた先端ねじ部と該先端ねじ部下部に嵌合する筒状体のばね収納部とを有する基部と、前記先端ねじ部に螺合する両端部の外周面に雄ねじの切られたアンカーボルトと、前記アンカーボルトの雄ねじの切られた両端部の間に該アンカーボルトに固定された支持ナットを備えてなる、基礎に建築物の土台を緊結するアンカーボルト装置であって、
前記ばね収納部は、内部にばねを収納し、
前記アンカーボルトはその一端を前記支持ナットと座金を有して前記先端ねじ部に螺貫し、さらに前記ばね収納部に挿入し、前記ばね上端に係合して該ばねにより上方へ付勢された状態を維持し、
前記支持ナットは前記土台下面より該土台を支持するものであり、
前記土台に前記アンカーボルト上端を貫通させ、前記支持ナットの回動により土台を上下動させることを特徴とするアンカーボルト装置。
【請求項２】
基礎に埋設され、筒状体の内周面に雌ねじの切られた先端ねじ部と該先端ねじ部下部に嵌合する筒状体のばね収納部とを有する基部と、前記先端ねじ部に螺合する外周面に雄ねじの切られたアンカーボルトと、前記アンカーボルトの略中間部に支持ナットを備えてなる、基礎に建築物の土台を緊結するアンカーボルト装置であって、
前記ばね収納部は、内部にばねを収納し、
前記アンカーボルトはその一端を前記支持ナットと座金を有して前記先端ねじ部に螺貫し、さらに前記ばね収納部に挿入し、前記ばね上端に係合して該ばねにより上方へ付勢された状態を維持し、
前記支持ナットは前記土台下面より該土台を支持するものであり、
前記土台に前記アンカーボルト上端を貫通させ、前記アンカーボルトの回転により土台を上下動させることを特徴とするアンカーボルト装置。
【請求項３】
前記ばね収納部は、潤滑剤が充填されていることを特徴とする請求項１または請求項２記載のアンカーボルト装置。
【発明の詳細な説明】
【技術分野】
【０００１】
本発明は、建築物の土台とその基礎を固定し、さらに建築物の沈下修正が容易にできるアンカーボルト装置に関する。
【背景技術】
【０００２】
木造や鉄骨構造の建築物は一般的に、地盤の上にコンクリートなどで基礎が構築され、その基礎上に建築物が置かれている。しかし、建築物は台風などの突風や地震による揺れなど、周囲からさまざまな力を受けることにより、基礎から建築物がずれたり外れたりするおそれがある。建築物をその基礎となる部分に固定するために、建築物の底部と基礎の間に接合金具であるアンカーボルトを用いて緊結し、建築物の倒壊を防いでいる。
従来、このアンカーボルトによる建築物を基礎への固定は、建築もしくは改築の際の一度の緊結で完了してしまうことが一般的であった。しかし、建築物は完成した後に、建築物底部の土台の木の収縮、風化や腐食による変形、コンクリートなどの基礎の変形、または基礎の置かれた地盤の変形が起こることがある。また、基礎の置かれる地盤の沈降により、建築物全体が沈下することがある。特に、建物が全体的に傾斜したり、建物のある部分だけが沈下をおこす不同沈下がおこると、建築物の壁や柱梁に亀裂が入るなどの問題が発生することがあり、建築物を水平に修正する沈下修正の必要が生じることがある。
従来、このような建物の沈下修正のために、設置後に締め直すことが可能なアンカーボルトが開示されている（特許文献１、特許文献２）。
【０００３】
しかしながら、上記のアンカーボルトでは、締め直しは可能であっても、傾斜した建築物をもとに戻すには、アンカーボルトを締め直すだけでなく、その建築物の置かれる基礎を修復しなければ建築物が完全に水平に戻ることは困難であるという問題があった。また、既設のアンカーボルトを締め直すことは、アンカーボルト装置の設置された土台に建築物の重量が大きくかかっているため作業が困難であるという問題があった。また、このような問題のため上記のアンカーボルトでは、アンカーボルト単体では沈下修正を完了できず、別途油圧ジャッキなどを用いて建築物を支持する必要があった。
【特許文献１】特開平１０−２６６５８６号公報
【特許文献２】特開２００２−３７１６３３号公報
【発明の開示】
【発明が解決しようとする課題】
【０００４】
本発明はこのような問題に対処するためになされたもので、設置が容易であり、また設置後も容易に締め直すことができ、建築物の土台と基礎とを固定するとともに、建築物が不同沈下した場合などにおいて、基礎を修復することなく建築物の沈下修正が可能なアンカーボルト装置を提供することを目的とする。
【課題を解決するための手段】
【０００５】
本発明のアンカーボルト装置は、基礎に埋設され、筒状体の内周面に雌ねじの切られた先端ねじ部と該先端ねじ部下部に嵌合する筒状体のばね収納部とを有する基部と、上記先端ねじ部に螺合する外周面に雄ねじの切られたアンカーボルトと、上記アンカーボルトに固定された支持ナットを備えてなる、基礎に建築物の土台を緊結するアンカーボルト装置であって、上記ばね収納部は、内部にばねを収納し、上記アンカーボルトはその一端を上記支持ナットと座金を有して上記先端ねじ部に螺貫し、さらに上記ばね収納部に挿入し、上記ばね上端に係合して該ばねにより上方へ付勢された状態を維持し、上記支持ナットは上記土台下面より該土台を支持するものであり、上記土台に上記アンカーボルト上端を貫通させ、該アンカーボルトに固定された上記支持ナットの回動もしくはアンカーボルトの回転により土台を上下動させることを特徴とする。
また、上記ばね収納部は、潤滑剤が充填されていることを特徴とする。
【発明の効果】
【０００６】
本発明のアンカーボルト装置は、基部の先端ねじ部を螺貫したアンカーボルトの下端が先端ねじ部下部のばね収納部に収納されるばねを押し下げ、ばねにより上方へ付勢された状態を維持しながら基礎と土台を緊結するため、地盤沈下などによる不同沈下で建築物が傾いた場合に、アンカーボルトに備えられ土台を支持する支持ナットを回動すること、もしくはアンカーボルト自体を回転させることにより容易に土台を上下動させることができ、基礎から建築物土台を持ち上げて建築物を水平に戻すことが可能であり、アンカーボルト装置単体で建築物の土台と基礎との固定と、建築物が不同沈下した場合の沈下修正の両方を行なうことができる。
【０００７】
上記ばね収納部には、グリースおよび潤滑油などの潤滑剤が充填されるので、建築時のアンカーボルト装置の締結が容易に行えるだけでなく、アンカーボルト装置設置後、支持ナットを回動させる際、もしくはアンカーボルトを回転させる際も、容易に作業を行なうことができる。
【発明を実施するための最良の形態】
【０００８】
本発明のアンカーボルト装置を図１、図２および図３に基づいて説明する。図１は本発明のアンカーボルト装置の全体斜視図であり、図２はアンカーボルト装置の断面図である。また図３はアンカーボルト装置の組立て斜視図を表わす。
【０００９】
図１および図２に示すように、アンカーボルト装置１は、コンクリート舗装などで構築される基礎１１と、その上に置かれる建築物の土台１２との間に設置される。
本発明のアンカーボルト装置１は、棒状体のアンカーボルト２を基礎１１に埋設される基部３に螺合により挿入し、さらに座金５を介して、支持ナット４と取付用ナット６を用いて土台１２を基礎１１に固定するものである。
【００１０】
図３に示すように、基礎１１に埋設される基部３の構造は、筒状体の内周面に雌ねじの切られた先端ねじ部７と、その下部に嵌合され先端ねじ部７より貫通する内部にばね８を収納した筒状体のばね収納部９からなる。
先端ねじ部７あるいはばね収納部９の外周面には凸部（７ａおよび７ｂ）を設けてもよく、基礎１１へ埋設する際、強固に固定できる。
ばね収納部９には内部に上蓋１０ａを載せて有するばね８を収納し、ばね８下部はばね収納部９を覆う下蓋１０ｂに接着固定されている。
本発明のアンカーボルト装置１に用いられるばねとしては、例えば圧縮コイルばねなどを使用できる。建築物という重量の大きなものを支えるため、ばね力の大きなばねを使用する。
また、このばね収納部９には、潤滑剤が充填されている構造でもよい。ばね収納部９内部全部に潤滑剤が充填されていてもよいし、収納されているばね８周辺に充填されていてもよい。用いられる潤滑剤としては、グリースや潤滑油など一般に使用される潤滑剤を用いることができる。
基部３は基礎１１に埋設される際、先端ねじ部７の上面７ａが、基礎１１の上面と略同一面を形成するように設置する。
【００１１】
本発明のアンカーボルト装置１に用いられる棒状体のアンカーボルト２は、その両端部の外周面に雄ねじが切られた形状を有するもの、もしくはアンカーボルト２の外周面全体に雄ねじが切られた形状を有するものが使用される。
アンカーボルト２には土台１２を支持するための支持ナット４を固定する必要があり、アンカーボルト２の雄ねじの切られた両端部の間もしくはアンカーボルト２の略中間部の位置２ａにおいて支持ナット４が固定される。
建築物の沈下修正の際、アンカーボルト装置１において支持ナット４を回動させて土台１２を上下動させる方法と、土台１２上面でアンカーボルト２を回転させて土台１２を上下動させる方法とがある。
支持ナット４を回動させて建築物の沈下修正を行なうアンカーボルト装置１の方法では、両端部の外周面に雄ねじが切られた形状のアンカーボルト２を使用できる。その両端部に切られた雄ねじと雄ねじの間に支持ナット４がボルトに固定され、各雄ねじの巻き方向は同じ方向であってもよいし、それぞれ反対の方向であってもよい。
土台１２上面でアンカーボルト２を回転させて建築物の沈下修正を行なうアンカーボルト装置１の方法では、アンカーボルト２の外周面の両端部もしくは全面に切られた雄ねじは同じ方向である。このアンカーボルト２の略中間部の位置２ａで支持ボルト４が固定される。また、アンカーボルト２の回転を容易にできるようにするため、アンカーボルト２の上部先端部分を多角形、好ましくは６角形にしておいてもよい。
アンカーボルト２に切られるねじの種類としては、転造ねじまたは切削ねじなどを用いることができる。
【００１２】
また、アンカーボルト２およびアンカーボルト装置１を構成する各部品の材質としては、鉄、ステンレスまたは黄銅などの金属などを用いることができる。機械的強度に優れ、かつ防錆性などにも優れることからステンレス製の部品を用いることが好ましい。
【００１３】
基部３の先端ねじ部７にアンカーボルト２の一端を挿入して螺合により貫通させる。アンカーボルト２はこの先端ねじ部７において支持される。アンカーボルト２の下端部は、さらに先端ねじ部７の下部のばね収納部９に挿入され、ばね８上部の上蓋１０ａに係合し、ばね８を押し下げる。アンカーボルト２の基部３への締結は、ばね８により上方へ付勢された状態を維持しながら固定される。
【００１４】
基部３に螺合により締結したアンカーボルト２の上端部を土台１２に穿設したアンカーボルト２用穴に挿通させ、土台１２を基礎１１上に載せる。この時、各アンカーボルト２の土台１２を支持する位置２ａに支持ナット４を固定したものを、基礎１１と土台１２のあいだに設置する。支持ナット４の上面で座金５ａを介して土台１２を支持しつつ、支持ナット４を回動させてアンカーボルト２を基部３に締結して固定する。最後に土台１２上面に突出したアンカーボルト２上端部を座金５ｂを介して取付用ナット６により係止し、アンカーボルト２は土台１２に固定され、土台１２は基礎１１に緊結される。
【００１５】
コンクリート舗装などで基礎１１を構築する際、アンカーボルト装置１を設置する位置を決め、基部３の先端ねじ部７のねじの進行方向が鉛直方向となるように基礎１１へ基部３を埋め込む。このとき、基部３の先端ねじ部７の上面が基礎１１の表面と略同一面を形成することが好ましい。この基部３にアンカーボルト２を設置する。土台１２を支持する位置２ａに支持ナット４を固定したアンカーボルト２の下端部を基部３の先端ねじ部７に螺合させる。ここで、座金５ａが土台１２側になるようにして螺合しておく。先端ねじ部７に挿入されたアンカーボルト２の下端はさらに先端ねじ部７下部のばね収納部９内に到達し、ばね８の上蓋１０ａを押し下げてばね８により上方へ付勢された状態を維持しながら締結する。
【００１６】
基礎１１の上に置かれる土台１２の、上記基部３を埋め込んだ位置に相当する位置に、アンカーボルト２を挿通させる穴を、土台１２に穿設する。土台１２に穿設した穴にそれぞれアンカーボルト２上端部を挿入して土台１２を基礎１１上に載置する。土台１２の上面に突出したアンカーボルト２に座金５ｂを介して取付用ナット６で締結する。
さらに基礎１１と土台１２の間のアンカーボルト２に固定された支持ナット４を回動させて締結し、取付用ナット６で最終的に土台１２をアンカーボルト２に固定することでアンカーボルト装置１の設置は完了し、基礎１１に土台１２が緊結される。
ここで、土台１２は建築物の置かれる地面に対し水平に設置される。
【００１７】
また、本発明のアンカーボルト装置１を設置する別の一例としては、外周面に同方向に雄ねじの切られた、略中間部の土台１２を支持する位置２ａに支持ナット４を固定したアンカーボルト２下端部を上記方法と同様に、基部３の先端ねじ部７およびばね収納部９に螺合により挿入して締結し、アンカーボルト２の上端部を土台１２に穿設した穴に挿入して土台１２を基礎１１に載置し、さらに、土台１２上面でアンカーボルト２を締め付け、かつ取付用ナット６で係止して土台１２をアンカーボルト２に固定することでアンカーボルト装置１の設置は完了し、基礎１１に土台１２が緊結される。
【００１８】
アンカーボルト装置１の設置数は建築物の大きさや建築物の置かれる環境により異なり、建築物の土台の柱に近接した場所や、コンクリートなどで構築される基礎が中断する前後の場所などに、状況に応じ適度な数を適度な間隔をおいて配置される。また、本発明のアンカーボルト装置は、例えば地盤沈下などにより建築物が不同沈下を起こした場合などに、建築物全体が水平になるように沈下修正を行なうため、建築物を支える柱付近の土台に配置するなど、土台全体でバランスよく配置される必要がある。
【００１９】
建築物が不同沈下を起こした場合、その不同沈下を起こした部分付近のアンカーボルト装置１を修正する。アンカーボルト装置１のアンカーボルト２に土台１２を固定している取付用ナット６を緩め、支持ナット４を上方向へ回動させる。もしくはアンカーボルト２自体を回転して緩める。アンカーボルト２の基部３への締結は、ばね８により常に上方へ付勢された状態で維持されているため、支持ナット４の回転もしくはアンカーボルト２の回転を容易に行なうことができ、アンカーボルト２に固定されている支持ボルト４に支持された土台１２は基礎１１から上方へ引き上げられる。建築物の土台１２に複数設置されたアンカーボルト装置１をそれぞれ修正し、建築物の土台１２全体を、地面に対し水平に修正する。
【実施例】
【００２０】
本発明のアンカーボルト装置の実施形態を図に基づいて説明する。図４および図５はそれぞれ本発明のアンカーボルト装置の実施形態を説明する断面図である。
【００２１】
図４はアンカーボルト装置１を設置する一例を説明する断面図である。図４は、アンカーボルト装置１を木造建築物の土台１２を基礎１１に固定するために設置する場合を説明するものである。アンカーボルト装置１は、上記方法で組み立てられ、基礎１１にパッキン１５などを介して置かれた建築物の土台１２を固定する。アンカーボルト装置１は建築物の土台１２全体に複数設置されるが、図４に示すように、特に土台１２の柱１３付近にアンカーボルト装置１を設置することが好ましい。建築物の沈下修正を行なう場合は、取付用ナット６を緩め、アンカーボルト２に固定された支持ナット４を回動させて、土台１２を上方へ引き上げる。
【００２２】
図５はアンカーボルト装置１を設置する別の一例を説明する図である。図５は、アンカーボルト装置１を鉄骨建築物の土台１２を基礎１１に固定するために設置する場合を説明するものである。アンカーボルト装置１は、上記方法で組み立てられ、基礎１１に礎石１４などを介して置かれた建築物の土台１２を固定する。アンカーボルト装置１は建築物の土台１２全体に複数設置されるが、図５に示すように、建築物全体の荷重の集中する鉄骨柱１３付近の土台１２に設置されることが好ましく、またこの場合鉄骨柱１３付近にアンカーボルト装置１を複数設置することが好ましい。建築物の沈下修正を行なう場合は、取付用ナット６を緩め、さらにアンカーボルト２を回転させて緩め、アンカーボルト２に固定された支持ナット４で支持される土台１２を上方へ引き上げる。
【産業上の利用可能性】
【００２３】
本発明のアンカーボルト装置は、建築物の土台の種類や形式によらず、基礎と土台とを緊結することができ、また基部に収納されるばねにより常に上方へ付勢された状態を維持しながら設置されるためアンカーボルト装置の設置および修正が容易であり、一般住宅を始めとする木造および鉄骨建築物全般に沈下修正用のアンカーボルト装置として好適に利用できる。
【図面の簡単な説明】
【００２４】
【図１】本発明のアンカーボルト装置の全体斜視図である。
【図２】本発明のアンカーボルト装置の断面図である。
【図３】本発明のアンカーボルト装置の組立て斜視図である。
【図４】本発明のアンカーボルト装置の実施形態を説明する断面図である。
【図５】本発明のアンカーボルト装置の実施形態を説明する断面図である。
【符号の説明】
【００２５】
１  アンカーボルト装置
２  アンカーボルト
３  基部
４  支持ナット
５  座金
６  取付用ナット
７  先端ねじ部
８  ばね
９  ばね収納部
１０  ふた
１１  基礎
１２  土台
１３  柱
１４  礎石
１５  パッキン
【図１】
2007285016.tif 000003
【図２】
2007285016.tif 000004
【図３】
2007285016.tif 000005
【図４】
2007285016.tif 000006
【図５】
2007285016.tif 000007